(57)【要約】【課題】良好な視認性を備える道路鋲を提供する。【解決手段】本体と、この本体の側面に設けた光の再帰反射性を有する反射部材とを備えさせ、前記本体の上面にガラスビーズを埋設させると共に、このガラスビーズの一部を露出させる。側方から道路鋲へ照射された光がこの反射部材により照射方向へ再帰反射されるため、道路鋲の側方からの視認性が良好となされる。そしてガラスビーズの少なくともその一部を露出させることで、上方や斜め上方から道路鋲へ照射された光がこのガラスビーズの露出部分から内側へ入光して照射方向へ再帰反射されるため、側方のみならず上方や斜め上方からの道路鋲の視認性が良好なものとなされる。【選択図】        図１
2014009534.tif 000002
【特許請求の範囲】
【請求項１】
本体と、該本体の側面に設けられた光の再帰反射性を有する反射部材とを備え、
前記本体の上面にはガラスビーズが埋設されると共に、該ガラスビーズは少なくともその一部が露出していることを特徴とする道路鋲。
【請求項２】
前記本体の上面には下方に窪む凹部が設けられ、該凹部には上方へ突出する突起が設けられており、
前記ガラスビーズは前記凹部にその一部が露出して埋設されていることを特徴とする請求項１に記載の道路鋲。
【請求項３】
前記凹部は表面に樹脂層を有し、
該樹脂層にはその一部が該樹脂層より露出する前記ガラスビーズと共に、全体が埋没するガラスビーズが混在して埋設されていることを特徴とする請求項２に記載の道路鋲。
【発明の詳細な説明】
【技術分野】
【０００１】
本発明は、道路の外側線やセンターライン、交差点中央、横断歩道、中央分離帯、縁石等、種々の場所に設置される道路鋲に関するものである。
【背景技術】
【０００２】
道路に設置され、夜間における外側線の表示や視線誘導を行う道路鋲は、反射体を備えて自動車等の前照灯を再帰反射させることで夜間における外側線の表示や視線誘導を行うものがよく用いられ、これらに関する種々の発明が開示されている。
【０００３】
例えば、特許文献１には、本体と、光の再帰反射性を有する反射部材とを備え、前記本体の外周側面には内側へ窪む溝部が全周に亘り形成され、前記溝部より上方の上面部と、前記溝部より下方の下面部とを備えた扁平な円盤形状に前記本体が形成されると共に、前記反射部材は帯状に形成され前記溝部に巻回されて前記本体に固定されていることを特徴とする道路鋲、が本出願人によって提案されている。
【先行技術文献】
【特許文献】
【０００４】
【特許文献１】特開２０１２−２１３５８号公報
【発明の概要】
【発明が解決しようとする課題】
【０００５】
特許文献１に示される道路鋲は、本体の外周側面に設けた反射部材により、夜間に車両の前照灯等からの光を再帰反射させて良好な視認性を備えるように設けているが、本発明は更に良好な視認性を備える道路鋲を提案するものである。
【課題を解決するための手段】
【０００６】
上記目的を達成するため、本発明は以下のような構成としている。
すなわち本発明に係る道路鋲は、本体と、該本体の側面に設けられた光の再帰反射性を有する反射部材とを備え、前記本体の上面にはガラスビーズが埋設されると共に、該ガラスビーズは少なくともその一部が露出していることを特徴としている。
【０００７】
本発明に係る道路鋲によれば、本体の側面に光の再帰反射性を有する反射部材を備えるので、側方から道路鋲へ照射された光がこの反射部材により照射方向へ再帰反射されるため、道路鋲の側方からの視認性が良好となされる。
また、前記本体の上面にガラスビーズが埋設されると共に、このガラスビーズの少なくともその一部が露出しているので、上方や斜め上方から道路鋲へ照射された光がこのガラスビーズの露出部分から内側へ入光して照射方向へ再帰反射されるため、側方のみならず上方や斜め上方からの道路鋲の視認性が良好なものとなされる。
【０００８】
また、前記本体の上面に下方へ窪む凹部を設け、この凹部に上方へ突出する突起を設け、前記ガラスビーズを前記凹部にその一部を露出させて埋設すれば、本体の上側を車両のタイヤなどが乗り越える等したときに、タイヤが前記突起に当接されて前記ガラスビーズの露出部分に接触しにくくなされるので、ガラスビーズの汚損や、本体からの脱落が抑制され、道路鋲の視認性が低下しにくくなるので、好ましい。
【０００９】
また、前記凹部の表面に樹脂層を設け、この樹脂層からその一部を露出させた前記ガラスビーズと共に、全体が埋没するガラスビーズを混在させて前記樹脂層へ埋設させれば、本体の上側を車両のタイヤなどが乗り越える等して、凹部の樹脂層の表面が摩耗し、その一部が露出する前記ガラスビーズが脱落などしても、全体が埋没するガラスビーズの一部が露出して、凹部における光の再帰反射性が維持されるので、好ましい。
【発明の効果】
【００１０】
本発明に係る道路鋲によれば、側方からのみならず、上方や斜め上方からも良好に視認できる。
【図面の簡単な説明】
【００１１】
【図１】本発明に係る道路鋲の実施の一形態を示す、（イ）は平面図であり、（ロ）は正面図である。
【図２】図１のＡ−Ａ断面図である。
【図３】図１の道路鋲において、ガラスビーズが設けられた箇所を示す平面図である。
【図４】図２の道路鋲の要部の拡大断面図である。
【発明を実施するための形態】
【００１２】
本発明の実施の形態を図面に基づき具体的に説明する。
図面において、１は道路鋲の本体である。
本体１は扁平な円盤形状に形成されており、その外周側面には、上方の上面部１０Ａと下方の下面部１０Ｂとの間に挟まれるようにして内側に窪む溝部１０Ｃが全周に亘って形成されている。
本実施形態の本体１は、アルミニウム合金の鋳物で形成されているが、これに限るものではなく、アルミニウム以外の金属や、合成樹脂などにより形成させることができる。
【００１３】
２は反射部材である。
反射部材２は、帯状の形状をした基材２２に適宜間隔をおいてガラスビーズ製の反射器２１が配設されている。
反射器２１は入射光に対して平行に光を反射する再帰反射性が高く、かつ汚れにくく、劣化しにくいガラスビーズ製のものを好適に用いることができ、本実施形態の反射器２１はガラスビーズ製であるがこれに限るものではなく、基材２２の表面に反射テープなどを貼着してもよい。基材２２の材質は、鉄鋼、ステンレス、アルミニウムなどの金属などを用いてもよいが、反射器２１を埋め込み形成することを容易にするためにゴム、ウレタン系樹脂、エラストマーなどの弾性の高い合成樹脂を用いるのが好ましく、反射器２１が外れにくくなるように、ポリエチレンやポリプロピレン等、ある程度高い硬度を有する熱可塑性合成樹脂を用いるのがより好ましい。また、本実施形態の反射部材２は、反射器２１を基材２２の全長に亘って配設させており、反射器２１の再帰反射性が反射部材２の全長に亘って得られるようになされている。
【００１４】
帯状の反射部材２は、本体１の溝部１０Ｃに巻回されて取り付けられており、より詳細には反射器２１を含めて反射部材２が本体１の上面部１０Ａの縁より本体１の径方向内側に位置するように、溝部１０Ｃ内に収納されて取り付けられている。反射部材２は、溝部１０Ｃに巻回させることで外れにくくなされると共に、上下方向への位置ずれを防ぐことができる。
また、反射器２１を本体１の上面部１０Ａの縁より本体１の径方向内側に位置させることで反射器２１が本体１の外側面より外側へ突出しないので、車両の車輪などが道路鋲を踏みつけたときに、車輪などが反射器２１や基材２２に直接接触しないので、反射部材の損傷や、汚染による再帰反射性の低下などが抑制される。
尚、帯状の反射部材２の構成は、反射器２１と基材２２を用いた本実施形態の構成に限るものではなく、帯状に形成させた反射テープをそのまま溝部１０Ｃに貼着してもよく、ポリカーボネート樹脂やアクリル樹脂などの合成樹脂を射出成形して形成させた反射体を用いてもよく、他の形態のものを利用してもよい。
【００１５】
本実施形態の反射部材２は、本体１の側面に形成された溝部１０Ｃへ基材２２を巻回させ、この基材２２の側面より側方へ側端を突出させて前記反射器２１を取り付けている。このように取り付けた各反射器２１を、本体１の側面の全周に亘って間隔をおいて配設させることで、本体１の側方から照射された光を照射方向へ効率良く再帰反射させるように設けている。
【００１６】
本体１の上面部１０Ａの上面１３は、その縁部分が外方へ至るほど下方へ下る端部上面１３ａに形成されている。端部上面１３ａは、円形状に形成された上面１３の縁の全周に亘って、円周状に形成されている。
また、前記上面１３には、下方へ円形状に窪む凹部１４が形成されている。凹部１４は、円形状に形成された上面１３の中央に同心円状に配置されて設けられている。
前記凹部１４には、小さな四角柱形状に形成されて上方へ突出する突起１７が形成されている。突起１７は、縦方向及び横方向へそれぞれ間隔をおいて複数並設されており、車両の車輪や人などが道路鋲を踏みつけたときに滑り留めとして機能するようになされている。
【００１７】
本体１の下面部１０Ｂの上面には、外方へ至る程に下方へ下る端部上面１３ｂが、下面部１０Ｂの縁の全周に亘って形成されている。本実施形態の端部上面１３ｂは、前記端部上面１３ａより大きな径の円周状に形成され、端部上面１３ａより径方向の外側に位置するように設けられている。
端部上面１３ｂを設けることで、雨天時などにおいて、上面部１０Ａの縁から流れ落ちた雨水や下面部１０Ｂの上面に直接降りかかった雨水が、端部上面１３ｂの傾斜によって本体１の外側方向へ流れるようになされている。これによって、反射部材２が収納された溝部１０Ｃ側への雨水の流れを抑制させて、反射器２１へ水が付着することによる再帰反射性の低下を抑制させることができる。
【００１８】
本実施形態の本体１は、上面に樹脂層３が設けられており、樹脂層３にはガラスビーズ４がその一部を樹脂層３の外側に露出させて多数埋設されている。このように設けられたガラスビーズ４が、照射された光を照射方向へ反射させる光の再帰反射性を備えるので、本体１の視認性が高められる。
【００１９】
図３は図１の道路鋲において、前記ガラスビーズ４が設けられた箇所を示す平面図である。
図中において、塗りつぶされた範囲が、前記ガラスビーズ４を埋設させた樹脂層３が設けられた箇所である。具体的には、本実施形態の樹脂層３は、上面部１０Ａの上面１３に設けられた凹部１４と、下面部１０Ｂに設けられた端部上面１３ｂとに設けられている。
【００２０】
図４は図２の道路鋲の要部の拡大断面図である。図４は、凹部１４に設けられた樹脂層３の断面を表している。
凹部１４に設けられた樹脂層３は、各突起１７を除く凹部１４の上面全体に亘って設けられた塗膜であり、端部上面１３ｂに設けられた樹脂層３も同じ塗膜で形成されている。
樹脂層３の形成は、本体１との密着性が良好なインキや、塗料などを適宜選択又は組みあわせて用いてよく、例えばインキを用いる場合には、油性凸版インキ、フレキソインキ、ドライオフセットインキ、グラビアインキ、グラビアオフセットインキ、パッドインキ、オフセットインキ、スクリーンインキ等を好適に用いることができる。また、塗料を用いる場合には、エポキシ樹脂塗料、ウレタン樹脂塗料、アクリル樹脂塗料や、他の塗料を選択又は組みあわせて用いてよい。
【００２１】
樹脂層３へガラスビーズ４を埋設させる手順を説明する。
最初に、本体１へ樹脂層３を形成させる塗料やインキを塗布する。次に、この塗膜が硬化する前に、外方からガラスビーズ４を塗膜全体に吹き付ける。吹き付けたガラスビーズ４の一部又は全部が前記塗膜へ埋没された状態で、塗膜が硬化して樹脂層３が形成され、前記ガラスビーズ４が前記樹脂層３へ埋設されて固定される。
【００２２】
樹脂層３には、その一部を樹脂層３の表面より突出させたガラスビーズ４ａと、全体が樹脂層３の内側に埋没するガラスビーズ４ｂとがそれぞれ埋設固定されている。
前記ガラスビーズ４ａの一部が樹脂層３より露出することで、ガラスビーズ４ａの上方や斜め上方から照射された光がこの露出部分からガラスビーズ４ａの内側へ入光し、ガラスビーズ４ａの内側で反射されて光の照射方向へ再帰反射されるようになされる。即ち、本体１へ上方や斜め上方から照射された光が、ガラスビーズ４ａを備える凹部１４や端部上面１３ｂで再帰反射され、その視認性が高められるようになされる。
また、本体１を乗り越える車両のタイヤの接触や、砂やほこりなどの接触や、経年劣化などにより、樹脂層３の表面が摩耗して前記ガラスビーズ４ａの一部が樹脂層３から脱落等しても、樹脂層３に全体が埋没していたガラスビーズ４ｂの一部が樹脂層３の表面の摩耗に伴い露出して光の再帰反射性を備えるようになされ、道路鋲の視認性の低下が抑制される。
【００２３】
樹脂層３には、前記ガラスビーズ４と共に、アルミニウムやステンレスなどの微細な金属箔を混入させてもよい。前記金属箔を樹脂層３に混入させることで、上方や斜め上方からの太陽光などの光が、樹脂層３の表面に露出する金属箔に照射されて乱反射され、光の照射方向以外の方向からも良好に視認できるようになされるので、道路鋲の視認性が高められる。
【００２４】
また、前記ガラスビーズ４ａのうち、一部のガラスビーズ４ｃは、その一部が樹脂層３の表面から露出すると共に、その下端が本体１に当接するように、樹脂層３に固定されている。
下端が本体１に当接することで、ガラスビーズ４ｃは他のガラスビーズ４ａ、４ｂと比較して、外力を受けた時に特に下方への位置ずれが生じにくくなされている。
ガラスビーズ４ｃが上記のように樹脂層３に固定されることで、本体１の上方を車両のタイヤなどが乗り越えて通過等して、樹脂層３の表面に前記タイヤが接触したときに、ガラスビーズ４ｃの露出部分へ前記タイヤが接触してこれを支え、ガラスビーズ４ｃの周囲の樹脂層３の摩耗が抑制されるようになされる。
【００２５】
本実施形態の樹脂層３は、透光性を有する塗膜に設けてもよく、透光性の無い不透明な塗膜に設けても良い。樹脂層３を透光性を有する塗膜に設ける場合、上方や斜め上方から照射された太陽光などの光が樹脂層３の表面から入光し、樹脂層３に埋没している前記ガラスビーズ４ａ、４ｂ、４ｃの表面や、前記金属箔の表面などに照射されて乱反射され、再び樹脂層３の外側へ放射されて光の照射方向以外の方向から良好に視認できるようになされる。
また、樹脂層３を不透明に設ける場合、本体１を赤色や橙色や黄色や、各種蛍光色に容易に着色できるので、本体１の昼間における視認性を高めることができる。
【００２６】
樹脂層３が設けられた下面部１０Ｂの端部上面１３ｂは、上面部１０Ａの端部上面１３ａより径方向の外側に位置するように設けられているため、上方から照射された光が上面部１０Ａに遮られずに端部上面１３ｂの上面に照射され、ここに埋設されたガラスビーズ４や前記金属箔などで効率よく再帰反射や乱反射されて、良好に視認されるようになされる。
また、本実施形態の樹脂層３は、凹部１４と端部上面１３ｂとの上面のみに設けられているが、これに限るものではなく、上面１３や突起１７などの上面を含める本体１の他の外面に設けてもよい。  
【符号の説明】
【００２７】
１    本体
１０Ａ  上面部
１０Ｂ  下面部
１３    上面
１３ａ  端部上面
１３ｂ  端部上面
１４  凹部
１７  突起
２    反射部材
２１  反射器
２２  基材
３    樹脂層
４    ガラスビーズ
【図１】
2014009534.tif 000003
【図２】
2014009534.tif 000004
【図３】
2014009534.tif 000005
【図４】
2014009534.tif 000006